(57)【要約】【課題】誤差拡散処理においてエッジ強調を行ったときに黒文字のエッジ部に色にじみが発生するのを防止すること。【解決手段】カラー画像の各カラー成分についての多値の入力データに対し誤差拡散処理を行って階調数を低減した出力データを出力する画像処理方法であって、入力データのうちの処理対象となる注目画素について、色領域または白黒領域のいずれに属するかおよびエッジ領域の内エッジに属するか否かを判別し、注目画素が白黒領域に属しかつエッジ領域の内エッジに属する場合に、Ｃ，Ｍ，Ｙなどの黒以外のカラー成分についてのしきい値が黒成分についてのしきい値よりも大きい値となるように選択して誤差拡散処理を行い、これによってカラー画像の中の黒文字についてそのエッジ部の黒以外のカラー成分を黒成分に比べて低減させる。【選択図】      図７
2004274180.tif 000002
【特許請求の範囲】
【請求項１】
カラー画像の各カラー成分についての多値の入力データに対し誤差拡散処理を行って階調数を低減した出力データを出力する画像処理方法であって、
前記入力データのうちの処理対象となる注目画素について、色領域または白黒領域のいずれに属するかおよびエッジ領域の内エッジに属するか否かを判別し、
前記注目画素が白黒領域に属しかつエッジ領域の内エッジに属する場合に、黒以外のカラー成分についてのしきい値が黒成分についてのしきい値よりも大きい値となるように選択して誤差拡散処理を行い、
これによって前記カラー画像の中の黒文字についてそのエッジ部の黒以外のカラー成分を黒成分に比べて低減させる、
ことを特徴とする画像処理方法。
【請求項２】
カラー画像の各カラー成分についての多値の入力データに対し誤差拡散処理を行って階調数を低減した出力データを出力する画像処理装置であって、
前記入力データのうちの処理対象となる注目画素がエッジ領域の内エッジに属するかまたは外エッジに属するかを判別するエッジ判別手段と、
前記注目画素が色領域に属するかまたは白黒領域に属するかを判別する色／黒判別手段と、
前記入力データの各カラー成分ごとに独立して、前記注目画素の階調値に依存してしきい値を発生しかつ１つの階調値に対して複数のしきい値を発生するしきい値発生手段と、
前記エッジ判別手段、および前記色／黒判別手段によって判別された前記注目画素の領域に応じて、当該注目画素に対する誤差拡散処理のためのしきい値を、前記各色ごとに前記複数のしきい値の中から選択するしきい値選択手段と、
前記しきい値選択手段が選択したしきい値を用いて前記各色ごとに誤差拡散処理を行う誤差拡散処理手段と、
を有することを特徴とする画像処理装置。
【請求項３】
前記しきい値選択手段は、
前記注目画素が色領域に属しかつ内エッジに属する場合において、黒以外のカラー成分についてのしきい値が黒成分についてのしきい値よりも小さい値となるように選択する、
請求項２の画像処理装置。
【請求項４】
前記しきい値選択手段は、
前記注目画素が白黒領域に属しかつ内エッジに属する場合において、黒以外のカラー成分についてのしきい値が黒成分についてのしきい値よりも大きい値となるように選択する、
請求項２の画像処理装置。
【請求項５】
前記しきい値選択手段は、
前記注目画素が色領域に属しかつ内エッジに属する場合において、黒以外のカラー成分についてのしきい値が黒成分についてのしきい値よりも小さい値となるように選択し、
前記注目画素が白黒領域に属しかつ内エッジに属する場合において、黒以外のカラー成分についてのしきい値が黒成分についてのしきい値よりも大きい値となるように選択する、
請求項２の画像処理装置。
【発明の詳細な説明】
【０００１】
【発明の属する技術分野】
本発明は、誤差拡散法を適用して擬似中間調表現を行うための画像処理方法および装置に関する。
【０００２】
【従来の技術】
従来より、レーザプリンタまたは複写機などにおいて、写真画像などの中間調の原画像を忠実に再現するために、ディザ法又は誤差拡散法などの低値化処理法が用いられている。
【０００３】
誤差拡散法は、写真画像などの中間調の原画像を低値化して再現することができる擬似中間調表現法の一つである。誤差拡散法では、原画像の階調レベルを一定の閾値によって低値化データに低値化し、注目画素の階調値（データ値または濃度値）とそれに対応する低値化データの濃度値との誤差を一定範囲の複数の周辺画素に重み付けして分配する。誤差拡散法によると、原画像の濃度が保たれるので比較的忠実な画像を得ることができる。
【０００４】
また、誤差拡散処理を行う際に、画像中の文字領域のエッジ部に対して誤差拡散処理のためのしきい値を適切に設定することにより、エッジ強調効果を得ることができる。また、画像中における注目画素の領域に応じて種々のパラメータを切り替えて画質を改善する技術が提案されている（特開平７−１２３２４８を参照）。
【０００５】
【特許文献】
特開平７−１２３２４８
【０００６】
【発明が解決しようとする課題】
さて、従来より、誤差拡散処理において文字のエッジ部に強調処理を行うと、文字のエッジ部に色ずれや色のくすみが生じ易いという問題がある。
【０００７】
つまり、例えば、黒文字のエッジ部においては、Ｃ，Ｍ，Ｙ，Ｋの各カラー成分が互いに異なるレベルで混在しており、かつエッジ部の周辺で拡がっている。そのため、エッジ強調処理を行った場合に、Ｃ，Ｍ，Ｙ，Ｋの各成分のレベルがそれぞれ変化する。それをプリントした場合に色ずれが起こり、黒文字に色のにじみが生じる。また、色文字のエッジ部においては、エッジ強調を行うことによって各カラー成分のバランスが崩れ、色文字がくすんだ色となることがある。
【０００８】
本発明は、上述の問題に鑑みてなされたもので、誤差拡散処理においてエッジ強調を行ったときに黒文字のエッジ部に色にじみが発生するのを防止することを目的とする。また、色文字のエッジ部の色のくすみを低減することを他の目的とする。
【０００９】
【課題を解決するための手段】
本発明に係る方法は、カラー画像の各カラー成分についての多値の入力データに対し誤差拡散処理を行って階調数を低減した出力データを出力する画像処理方法であって、前記入力データのうちの処理対象となる注目画素について、色領域または白黒領域のいずれに属するかおよびエッジ領域の内エッジに属するか否かを判別し、前記注目画素が白黒領域に属しかつエッジ領域の内エッジに属する場合に、黒以外のカラー成分についてのしきい値が黒成分についてのしきい値よりも大きい値となるように選択して誤差拡散処理を行い、これによって前記カラー画像の中の黒文字についてそのエッジ部の黒以外のカラー成分を黒成分に比べて低減させる。
【００１０】
本発明に係る装置は、前記入力データのうちの処理対象となる注目画素がエッジ領域の内エッジに属するかまたは外エッジに属するかを判別するエッジ判別手段と、前記注目画素が色領域に属するかまたは白黒領域に属するかを判別する色／黒判別手段と、前記入力データの黒以外のカラー成分ごとに独立して、前記注目画素の階調値に依存してしきい値を発生しかつ１つの階調値に対して複数のしきい値を発生するしきい値発生手段と、前記エッジ判別手段、および前記色／黒判別手段によって判別された前記注目画素の領域に応じて、当該注目画素に対する誤差拡散処理のためのしきい値を、前記各色ごとに前記複数のしきい値の中から選択するしきい値選択手段と、前記しきい値選択手段が選択したしきい値を用いて前記各色ごとに誤差拡散処理を行う誤差拡散処理手段とを有する。
【００１１】
好ましくは、前記しきい値選択手段は、前記注目画素が色領域に属しかつ内エッジに属する場合において、黒以外のカラー成分についてのしきい値が黒成分についてのしきい値よりも小さい値となるように選択する。
【００１２】
また、前記しきい値選択手段は、前記注目画素が白黒領域に属しかつ内エッジに属する場合において、黒以外のカラー成分についてのしきい値が黒成分についてのしきい値よりも大きい値となるように選択する。
【００１３】
【発明の実施の形態】
図１は本発明に係る一実施形態の画像処理装置１の構成を示すブロック図、図２はしきい値生成部が生成するしきい値関数の例を示す図、図３は黒文字のエッジ部のＣ，Ｍ，Ｙ，Ｋのデータ値およびしきい値の例を示す図、図４は図３に示すしきい値を用いた場合の誤差拡散処理後のデータ値の状態を示す図、図５は色文字のエッジ部のＣ，Ｍ，Ｙ，Ｋのデータ値およびしきい値の例を示す図、図６は図５に示すしきい値を用いた場合の誤差拡散処理後のデータ値の状態を示す図である。
【００１４】
図１に示す画像処理装置１は、多値である２５６階調（８ビット）のＲ，Ｇ，Ｂのカラー画像データを入力データＤ１とし、それに対して誤差拡散処理を行い、階調数の低い２値（１ビット）のＣ，Ｍ，Ｙ，Ｋのカラー画像データを出力データＤ４として出力する。出力データＤ４の階調数としては、出力装置の階調数に応じて、例えば、４階調（２ビット）、８階調（３ビット）、１６階調（４ビット）などとしてもよい。Ｋは黒成分であり、Ｃ，Ｍ，Ｙは黒以外のカラー成分である。
【００１５】
このような画像処理装置１は、例えば、複写機、プリンタ装置、画像読取り装置、またはパーソナルコンピュータなどを用いた画像処理装置の一部の機能として用いられる。つまり、例えば、ＣＣＤイメージセンサ、Ａ／Ｄ変換部、シェーディング補正部などを経由して出力されるカラーの入力データＤ１に対して誤差拡散処理を行い、出力データＤ４を出力する。出力データＤ４は、その後、例えば、γ補正部、印字位置制御部、Ｄ／Ａ変換部などを経由してプリントエンジンに出力される。またはディスプレイ装置に出力される。
【００１６】
さて、図１に示すように、画像処理装置１は、明度データ生成部１１、彩度データ生成部１２、領域判別部１３、色変換部１４、および誤差拡散処理部１５Ｃ，１５Ｍ，１５Ｙ，１５Ｋからなる。
【００１７】
領域判別部１３は、エッジ判別部２１、内外エッジ判別部２２、色判別部２３などを有する。各誤差拡散処理部１５Ｃ，１５Ｍ，１５Ｙ，１５Ｋは、しきい値生成部３１、しきい値選択部３２、加算部３３、比較部３４、減算部３５、および誤差積分部３６からなる。
【００１８】
明度データ生成部１１は、Ｒ，Ｇ，Ｂの入力データＤ１に基づいて明度データ（明度信号）ＤＶを生成する。一般に、明度Ｖは次の（１）式で示される。
Ｖ＝Ａｒ×Ｒ十Ａｇ×Ｇ＋Ａｂ×Ｂ    ……（１）
ここで、Ａｒ、Ａｇ、Ａｂは係数であり、明度データＤＶの生成のために適当な値が用いられる。Ｒ，Ｇ，Ｂは、Ｒ，Ｇ，Ｂの各入力データＤ１のデータ値である。
【００１９】
また、明度データＤＶとして、Ｇのデータ値、または、Ｒ，Ｇ，Ｂの入力データＤ１の最小値もしくは最大値を用いることも可能である。
彩度データ生成部１２は、Ｒ，Ｇ，Ｂの入力データＤ１に基づいて彩度データ（彩度信号）ＤＣを生成する。
【００２０】
領域判別部１３は、明度データＤＶおよび彩度データＤＣに基づいて、入力データＤ１のうちの処理対象となる注目画素がどのような画像領域に属しているか（領域属性）を判別する。
【００２１】
エッジ判別部２１は、明度データＤＶに基づいて、注目画素がエッジ領域に属するか否かを判別し、判別信号ＤＡ１を出力する。
内外エッジ判別部２２は、注目画素がエッジ領域に属する場合に、内エッジに属するかまたは外エッジに属するかを判別し、判別信号ＤＡ２を出力する。内エッジとは、例えば文字のエッジの内側（文字側）であり、外エッジとは文字の外側（背景側）である。
【００２２】
なお、エッジ判別部２１と内外エッジ判別部２２とを分離して示したが、これらを分離することなく統合したエッジ判別部としてもよい。その場合には、統合したエッジ判別部において、注目画素がエッジ領域の内エッジに属するか否かなどを判別することになる。本発明のエッジ判別部はこの統合されたエッジ判別部に相当する。
【００２３】
色判別部２３は、注目画素が白黒領域に属するかまたは色領域（カラー領域）に属するかを判別し、色判別信号ＤＡ３を出力する。
色変換部１４は、Ｒ，Ｇ，Ｂの入力データＤ１に基づいて、Ｃ、Ｍ、Ｙ、Ｋの各カラーの入力データＤ２に変換する。
【００２４】
これら、入力データＤ２および判別信号ＤＡ１〜ＤＡ３、は、各カラーの誤差拡散処理部１５Ｃ，１５Ｍ，１５Ｙ，１５Ｋに入力される。
誤差拡散処理部１５Ｃ，１５Ｍ，１５Ｙ，１５Ｋは、Ｃ、Ｍ、Ｙ、Ｋの各カラーの入力データＤ２に対して、誤差拡散処理を行い、それぞれ２値の出力データＤ４を出力する。各誤差拡散処理部１５Ｃ，１５Ｍ，１５Ｙ，１５Ｋの構成および動作は互いに同一であるので、そのうちの１つである誤差拡散処理部１５Ｃについて説明する。
【００２５】
しきい値生成部３１は、Ｃの入力データＤ２のデータ値（階調値）に基づいて、複数個のしきい値ＤＳ１〜ＤＳ７を出力する。
図２に示すように、これら複数個のしきい値ＤＳ１〜ＤＳ７は、それぞれ、傾きの異なる直線からなるしきい値関数Ｆ１〜Ｆ７における階調値に対応した値である。つまり、しきい値関数Ｆ１〜Ｆ７は、入力データＤ２のデータ値としきい値ＤＳ１〜ＤＳ７との関係を示す関数である。中央のしきい値関数Ｆ４が標準のしきい値関数である。３つのしきい値関数Ｆ１〜Ｆ３は、標準のしきい値関数Ｆ４よりも全体の値が高く、かつ傾きが大きい。残りの３つのしきい値関数Ｆ５〜Ｆ７は、標準のしきい値関数Ｆ４よりも全体の値が低くかつ傾きが小さい。
【００２６】
したがって、例えば、しきい値関数Ｆ３による場合は、標準のしきい値関数Ｆ４による場合と比べてドットが出難くなる。しきい値関数Ｆ２，Ｆ１となるにしたがってさらにドットが出難くなる。また、しきい値関数Ｆ５による場合は、標準のしきい値関数Ｆ４による場合と比べてドットが出易くなる。しきい値関数Ｆ６，Ｆ７となるにしたがってさらにドットが出易くなる。
【００２７】
後で説明するように、各カラーの誤差拡散処理部１５Ｃ，１５Ｍ，１５Ｙ，１５Ｋにおいて互いに連動して、これらのしきい値関数Ｆ１〜Ｆ７の中からそれぞれ適切なしきい値関数を選択することにより、黒文字のエッジ部の色にじみや色文字のエッジ部の色のくすみなどを生じさせることなく、エッジ強調を行うことができる。
【００２８】
これらのしきい値関数Ｆ１〜Ｆ７、またはしきい値関数Ｆ１〜Ｆ７で示される階調値としきい値ＤＳ１〜ＤＳ７との関係は、計算プログラムとして、またはデータテーブルとして、しきい値生成部３１内の適当なメモリに記憶されている。
【００２９】
しきい値生成部３１は、入力データＤ２によってデータ値が与えられたときに、そのデータ値に対応した異なる７つのしきい値ＤＳ１〜ＤＳ７を出力する。
しきい値選択部３２は、領域判別部１３から出力される判別信号ＤＡ１〜ＤＡ３の組み合わせに基づいて、しきい値生成部３１から出力される７つのしきい値ＤＳ１〜ＤＳ７の中から１つのしきい値ＤＳを選択する。
【００３０】
これらしきい値生成部３１およびしきい値選択部３２は、本発明におけるしきい値発生手段を構成する。
加算部３３は、カラーデータＤ２と誤差データとを加算する。加算したデータが２値化前の入力データＤ３として比較部３４に入力される。
【００３１】
比較部３４は、入力データＤ３としきい値ＤＳとを比較し、その大小に応じて出力をオンまたはオフする。
減算部３５は、２値化後の出力データＤ４と２値化前の入力データＤ３との誤差を算出する。その際に、出力データＤ４と入力データＤ３との階調性を合わせるために出力データＤ４に対する適当倍数（２５５倍）の乗算が行われる。
【００３２】
誤差積分部３６は、誤差を蓄積し、蓄積した誤差を注目画素の周辺画素に分散するようにして誤差加算部３３に出力する。
なお、明度データ生成部１１、彩度データ生成部１２、領域判別部１３、および色変換部１４については、それら自体の構成および動作は公知である（例えば、特開２０００−２２４４１７を参照）。また、加算部３３、比較部３４、減算部３５、および誤差積分部３６による誤差拡散処理それ自体の構成および動作は公知である。したがって、これらについては、従来から行われている種々の手法または回路を採用することが可能である。
【００３３】
次に、しきい値選択部３２におけるしきい値ＤＳ１〜ＤＳ７の選択の仕方について説明する。なお、図３〜図６において、横軸はエッジ近辺における注目画素の位置であり、縦軸は入力データＤ２またはしきい値のレベルである。各図の中央において垂直の破線で示す位置がエッジ部の境界である。境界よりも右側が外エッジとなり、左側が内エッジとなる。また、黒文字を構成する画素は領域判別によって白黒領域にあると判別され、色文字を構成する画素は色領域にあると判別される。
【００３４】
まず、黒文字のエッジ部分においては、図３に示すように、入力データＤ２のＫ（ブラック）のデータ値は、内エッジにおいて比較的高いレベルにあり、外エッジに向かうにしたがってレベルが低下していき、境界を越えて外エッジに入った当たりで低い一定のレベルになる。Ｍ（マゼンタ）、Ｃ（シアン）、およびＹ（イエロー）については、この順にレベルが低くなり、Ｋ（ブラック、黒）の変化の傾向と似た傾向で推移する。
【００３５】
しきい値ＤＳについては、内エッジと外エッジとで大きく異なる。内エッジにおいては、Ｋについてのしきい値ＤＳＫが一定の低いレベルとなり、Ｍ、Ｃ、Ｙについてのしきい値ＤＳＭ，ＤＳＣ，ＤＳＹは、いずれもＫのしきい値ＤＳＫよりも高く、しかしそれほど高くはなく、かつこの順にレベルが低くなり、それぞれのＭ、Ｃ、Ｙの入力データＤ２のデータ値に対応して推移する。
【００３６】
外エッジにおいては、Ｋについてのしきい値ＤＳＫが一定の高いレベルとなる。Ｍ、Ｃ、Ｙについてのしきい値ＤＳＭ，ＤＳＣ，ＤＳＹは、いずれもＫのしきい値ＤＳＫよりも若干低いが高いレベルとなる。
【００３７】
つまり、黒文字の場合のしきい値について、内エッジにおいては、しきい値ＤＳＭ，ＤＳＣ，ＤＳＹが高めでありかつしきい値ＤＳＫが低目であり、外エッジにおいては、いずれのしきい値ＤＳＭ，ＤＳＣ，ＤＳＹも高めである。
【００３８】
これによって、内エッジにおいてはＫのドットが出易くなりかつＭ、Ｃ、Ｙのドットが出難くなる。その結果、図４に示すように、誤差拡散処理でエッジ強調を行った後は、内エッジにおいてＫのレベルが高くなり、Ｍ、Ｃ、Ｙのレベルは低くなるので、色ずれがあっても目立たなくなり、色のにじみが防止される。また、外エッジにおいては、Ｋ、Ｍ、Ｃ、Ｙのレベルはいずれも低くなり、色のにじみは出ない。
【００３９】
次に、色文字のエッジ部分においては、図５に示すように、入力データＤ２のＫ、Ｍ、Ｃ、Ｙの各データ値は、内エッジにおいて比較的高いレベルにあり、外エッジに向かうにしたがって低下していく。
【００４０】
しきい値ＤＳについては、内エッジと外エッジとで大きく異なる。内エッジにおいては、Ｋについてのしきい値ＤＳＫが標準の一定のレベルとなり、Ｍ、Ｃ、Ｙについてのしきい値ＤＳＭ，ＤＳＣ，ＤＳＹは、いずれもＫのしきい値ＤＳＫよりもかなり低いレベルで、それぞれのＭ、Ｃ、Ｙの入力データＤ２のデータ値に対応して推移する。
【００４１】
外エッジにおいては、いずれのしきい値ＤＳＫ，ＤＳＭ，ＤＳＣ，ＤＳＹも、黒文字の場合と同様に一定の高いレベルとなる。
つまり、色文字のしきい値について、内エッジにおいては、しきい値ＤＳＭ，ＤＳＣ，ＤＳＹが低めでありかつしきい値ＤＳＫはそれよりも高いが標準のレベルであり、外エッジにおいては、いずれのしきい値ＤＳＭ，ＤＳＣ，ＤＳＹも高めである。
【００４２】
これによって、内エッジにおいては、Ｍ、Ｃ、Ｙのドットが出易くなりかつＫのドットが出難くなる。その結果、図６に示すように、誤差拡散処理でエッジ強調を行った後は、内エッジにおいてＫのレベルが低くなり、Ｍ、Ｃ、Ｙのレベルは高くなるので、色のくすみのない鮮明な色文字が再現される。また、外エッジにおいては、Ｋ、Ｍ、Ｃ、Ｙのレベルはいずれも低くなり、色のにじみは出ない。
【００４３】
ところで、しきい値ＤＳを低めにする場合には、しきい値選択部３２においてそれに適合するしきい値ＤＳ１〜ＤＳ７が選択される。しきい値ＤＳを高めにする場合も同様である。低めの場合は、標準に対して０．７倍程度が目安である。高めの場合は、標準に対して１．３倍程度が目安である。したがって、それに合うようなレベルのしきい値ＤＳを生成するようにしておけばよい。
【００４４】
次に、画像処理装置１による処理の概略を図７に示すフローチャートを用いて説明する。
図７において、まず、注目画素についての領域判別を行う（＃１１）。それが白黒領域でありかつエッジ領域の内エッジである場合に（＃１２、１３でイエス）、しきい値ＤＳＭ，ＤＳＣ，ＤＳＹがしきい値ＤＳＫよりも大きくなるように選択する（＃１５）。
【００４５】
注目画素が色領域でありかつエッジ領域の内エッジである場合に（＃１２でノー、１４でイエス）、しきい値ＤＳＭ，ＤＳＣ，ＤＳＹがしきい値ＤＳＫよりも小さくなるように選択する（＃１６）。
【００４６】
エッジ領域でないかまたはエッジ領域であっても外エッジである場合には（＃１３、１４でノー）、それぞれに適したしきい値ＤＳＭ，ＤＳＣ，ＤＳＹ，ＤＳＫを選択する（＃１７）。
【００４７】
それぞれ選択したしきい値ＤＳを用いて各カラーの誤差拡散処理を行う（＃１８）。
上に述べた実施形態の画像処理装置１によるとＣ，Ｍ，Ｙ，Ｋの各カラーごとにそれぞれの入力データＤ２のデータ値（階調値）に適したしきい値ＤＳを選択することができ、選択したしきい値ＤＳを用いて誤差拡散処理を行って２値化することができる。
【００４８】
したがって、誤差拡散処理においてエッジ強調を行ったときに黒文字のエッジ部に色にじみが発生するのを防止することができる。それとともに、色文字のエッジ部の色のくすみを低減することができる。また、文字の輪郭が鮮明となり、エッジボケが低減し、画像の全体の画質が向上する。
【００４９】
上の実施形態において、しきい値関数は直線であるとして説明したが、曲線であってもよい。７つのしきい値関数がある場合について説明したが、６つ以下または８つ以上でもよい。入力データＤ１，Ｄ２が２５６階調である場合を説明したが、他の階調数の入力データに対しても適用することができる。入力データＤ１として、種々のカラー画像データに対して適用することができる。
【００５０】
上の実施形態においては、しきい値生成部３１で複数のしきい値ＤＳを生成し、しきい値選択部３２でその１つを選択したが、複数の生成可能なしきい値の中から選択した１つのしきい値ＤＳのみを生成するようにしてもよい。
【００５１】
上の実施形態において、画像処理装置１の各部の処理内容は、ハードウエア回路により、または、ＣＰＵおよび適当なプログラムを記憶したメモリなどを用いてソフトウエアにより、またはそれらの組み合わせにより、実現することが可能である。画像処理装置１の各部又は全体の構成、回路、個数、処理内容などは、本発明の主旨に沿って適宜変更することができる。
【００５２】
【発明の効果】
本発明によると、誤差拡散処理においてエッジ強調を行ったときに黒文字のエッジ部に色にじみが発生するのを防止することができる。
【００５３】
請求項５の発明によると、色文字のエッジ部の色のくすみを軽減することができる。
【図面の簡単な説明】
【図１】本発明に係る一実施形態の画像処理装置の構成を示すブロック図である。
【図２】しきい値生成部が生成するしきい値関数の例を示す図である。
【図３】黒文字のエッジ部のＣ，Ｍ，Ｙ，Ｋのデータ値およびしきい値の例を示す図である。
【図４】誤差拡散処理後のデータ値の状態を示す図である。
【図５】色文字のエッジ部のＣ，Ｍ，Ｙ，Ｋのデータ値およびしきい値の例を示す図である。
【図６】誤差拡散処理後のデータ値の状態を示す図である。
【図７】画像処理装置による処理の概略を示すフローチャートである。
【符号の説明】
１  画像処理装置
１３  領域判別部
１５Ｃ，１５Ｍ，１５Ｙ，１５Ｋ  誤差拡散処理部（誤差拡散処理手段）
２１  エッジ判別部（エッジ判別手段）
２２  内外エッジ判別部（エッジ判別手段）
２３  色判別部（色／黒判別手段）
３１  しきい値生成部（しきい値発生手段）
３２  しきい値選択部（しきい値発生手段）
Ｄ１  入力データ
Ｄ２  入力データ
【図１】
2004274180.tif 000003
【図２】
2004274180.tif 000004
【図３】
2004274180.tif 000005
【図４】
2004274180.tif 000006
【図５】
2004274180.tif 000007
【図６】
2004274180.tif 000008
【図７】
2004274180.tif 000009